(57)【特許請求の範囲】
【請求項１】
側壁（１０）と底板（１１）で溝型に形成され溝の流れ方向における一方に軒樋の長手方向端部の外形を内形とした接合部（１２）を有し他方に軒樋の長手方向に沿って平滑に形成された摺動面（１３）を有する継手本体（１）と、側壁（２０）と底板（２１）で溝型に形成され一方に軒樋の長手方向端部の外形を内形とした摺動接合部（２２）を有し他方に前記摺動面（１３）の内形を外形とした摺動面（２３）を有する摺動体（２）とを備え、前記接合部（１２）と前記摺動接合部（２２）に軒樋を接合しつつ継手本体（１）と摺動体（２）を接合して軒樋同士を直線的又は曲折的に接続させる軒樋継手において、下記の（Ａ）〜（Ｃ）を具備する軒樋継手。
（Ａ）上記摺動体（２）の側壁（１０、２０）から前記継手本体（１）を押圧しつつ包むように形成された係合片（１４）を設け、さらに該係合片（１４）の基端部に切欠部（１５）を設ける。
（Ｂ）上記切欠部（１５）は、１５ｋｇ〜５０ｋｇの引裂強度を備える。
（Ｃ）上記係合片（１４）の係合相手である上記継手本体（１）の係合局部が他の部分より凹んでいる凹部（図示省略、２４）である。
【発明の詳細な説明】
【０００１】
【発明の属する技術分野】
本発明は継手本体と摺動体で長さを伸縮して軒樋の熱収縮を緩和しつつ軒樋同士を直線的又は曲折的に接続する軒樋継手に係り、特に施工前には該伸縮を規制し、施工後には該規制を自動的に解除する軒樋継手に関する。
【０００２】
【従来の技術】
従来、軒樋継手には、継手本体にシール材を介して摺動体を設けたものがある。摺動体を設けたのは、軒樋が環境温度によってその長手方向へと伸縮して外れるのを防止するためである。しかし、該摺動体が搬送時や施工時に不用意に摺動してしまうと搬送時や作業時の邪魔になる。そこで、該摺動体の不用意な動きを規制するクリップ（以下、説明上、係合片という）を設けた手段が知られている（例えば実公平７−１１９５０７号公報参照）。
【０００３】
【発明が解決しようとする課題】
しかし、かかる手段では、本来の軒樋継手に加えて係合片を必要とするため、係合片の製造工程と取付工程の二つが増えてしまうという課題があり、施工時にうっかり係合片を付けたままにしてしまうと上記摺動体の効果を発揮させずに軒樋の伸縮によって軒樋が外れてしまうという課題があった。また、施工前に係合片が外れてしまえばその効果が発揮されないという課題があった。
【０００４】
したがって、本発明の目的は、工程数はほぼ従来のままで、係合片をつけたままでも施工でき、さらには施工前にみだりに該係合片が外れない軒樋継手を提供することにある。
【０００５】
【課題を解決するための手段】
本発明者は、上記に鑑み鋭意検討を行った結果、側壁と底板で溝型に形成され溝の流れ方向における一方に軒樋の長手方向端部の外形を内形とした接合部を有し他方に軒樋の長手方向に沿って平滑に形成された摺動面を有する継手本体と、側壁と底板で溝型に形成され一方に軒樋の長手方向端部の外形を内形とした摺動接合部を有し他方に前記摺動面の内形を外形とした摺動部を有する摺動体とを備え、前記接合部と前記摺動接合部に軒樋を接合しつつ継手本体と摺動体を接合して軒樋同士を直線的又は曲折的に接続させる軒樋継手において、（Ａ）上記摺動体（２）の側壁（１０、２０）から前記継手本体（１）を押圧しつつ包むように形成された係合片（１４）を設け、さらに該係合片（１４）の基端部に切欠部（１５）を設ける、（Ｂ）上記切欠部（１５）は、１５ｋｇ〜５０ｋｇの引裂強度を備える、（Ｃ）上記係合片（１４）の係合相手である上記継手本体（１）の係合局部が他の部分より凹んでいる凹部（図示省略、２４）である、以上（Ａ）〜（Ｃ）を具備する。さらに、継手本体と摺動体の間の全部又は一部に遮水部材が介在していることにより、上記課題を解決できることを見いだし、本発明を完成させた。
【０００６】
【発明の実施の形態】
本発明において、上記継手本体又は上記摺動体の一方又は双方の側壁から他方の前記摺動体又は前記継手本体を押圧しつつ包むように形成された係合片を設けたのは、一体に成形することにより工程数を増やさないためであり、該係合片をみだりに外されないようにするためである。
【０００７】
上記係合片の基端部に切欠部を設けたのは、軒樋の収縮により該切欠部から該係合片を切断できるようにするためであり、これにより該係合片をつけたままでも施工できる。また、該切欠部形成により、施工前後に係合片全体を揺動させて該係合を解除することができ、これにより、固定位置の修正が可能となる。該切欠部は、その係合を解除するために軒樋の伸縮による圧力（一般に約２００ｋｇ）や人の手による施工時の引裂力（最大約５０ｋｇ）で該切欠部より先が切り取られるものである一方、搬送時や作業時に不用意に切断されない程度の強度（約１５ｋｇ）を有したものであり、具体的には１５ｋｇ〜５０ｋｇ程度の引裂強度を備えたものでなければならない。
【０００８】
上記係合片の係合相手である上記継手本体の係合局部に、他の部分より凹んでいる凹部を設けることにより、該係合片の係合力をより強固にすることができる。なお、凹部を設ける場合、摺動体の設定位置が決まってしまうため、摺動体を一番奥に配置する位置を夏用、一番手前に配置する位置を冬用、その間を春秋用とするような凹部を設けることが好ましい。
【０００９】
本発明にあっては、軒樋継手として水密性を高めるために、継手本体と摺動体の間の全部又は一部に遮水部材が介在させてもよいのは勿論である。該遮水部材の素材としては、素材自身の弾性力を生かして遮水機能を有するものであれば適宜選択して使用でき、例えば、弾性力を有する合成樹脂、ゴムなどの単体若しくはこれらの複合体などがある。また、上記接合部、摺動接合部が軒樋と接続する手段としては、従来公知の手段を採用でき、具体的には、接着剤による化学的接合（接着）、係合突起を設けた物理的接合のいずれか又は両方を採用することができる。
【００１０】
該軒樋継手の素材としては、軒樋同士を安定的に接続させることができるものであれば適宜選択でき特に限定するものでないが、例えばステンレス、鉄、鋼、銅、アルミニウム、亜鉛、ニッケルなどの単体又は合金といった金属、熱可塑性樹脂（例えばポリ塩化ビニル、ポリエチレン、ポリエステル、ポリスチレン、ＡＢＳ（アクリロニトリル・ブタジエン・スチレン）、ポリカーボネート）や熱硬化性樹脂の単体又は複合体といった合成樹脂や、合成樹脂に補強繊維（例えばガラス繊維、アラミド繊維、金属繊維など）を含有させた合成樹脂がある。なお、金属に合成樹脂やゴムを被覆又は積層するような複合体であっても良いのはもちろんである。
【００１１】
また、本発明は、必要に応じ、上記摺動体を軒樋継手本体に複数個設けることにより軒樋を多方向に接続できるものでもある。したがって、本発明に係る軒樋継手は、摺動体を一つにすることにより軒樋を直線的に接続できるものであり、摺動体を二つにして軒樋継手本体を任意の角度に曲折させれば軒樋を曲折的に接続できるものである。なお、本発明で使用される軒樋継手の形状は、接続される軒樋の大きさや形状に対して適宜選択して作成されるものである。
【００１２】
本発明の軒樋継手は、工程数はほぼ従来のままで、従来採用されていた係合片をつけたままでも施工でき、施工前にみだりに該係合片が外れず、さらには作業者の手によって容易にその係合のオン・オフをすることができるものである。
【００１３】
【実施例】
本発明にかかる一実施例を図１、図２に開示して詳細に説明する。図１は本発明の一実施例にかかる軒樋継手を模式的に示した説明図であり、図２は本実施例の特徴部分である係合片部分を拡大した説明図である。
【００１４】
本実施例にかかる軒樋継手は、図１、図２に示すように、側壁１０と底板１１で溝型に形成され溝の流れ方向における一方に軒樋の長手方向端部の外形を内形とした接合部１２を有し他方に軒樋の長手方向に沿って平滑に形成された摺動面１３を有する継手本体１と、側壁２０と底板２１で溝型に形成され一方に軒樋の長手方向端部の外形を内形とした摺動接合部２２を有し他方に前記摺動面１３の内形を外形とした摺動面２３を有する摺動体２とを備え、前記接合部１２と前記摺動接合部２２に軒樋を接合しつつ継手本体１と摺動体２を接合して軒樋同士を直線的に接続させるものである。
【００１５】
上記摺動体２の側壁２０には前記継手本体１を押圧しつつ包むように形成された係合片１４が設けられ、該係合片１４の基端部には切欠部１５が設けられ、さら係合片１４に対する継手本体１の側壁１０には該係合片１４と係合するための凹部２４が形成されている。また、図示は省略したが、上記継手本体１と上記摺動体２の間には伸縮自在の遮水部材としての蛇腹状の薄いゴム板が介在され、接合部１０、摺動接合部２２のそれぞれには軒樋（図示省略）の端縁を包むような形状を有する係合突起が形成されている。
【００１６】
本実施例は、図１のように、継手本体１と摺動体２を接合させた軒樋継手の接合部１２と摺動接合部２２に軒樋（図示省略）の長手方向端縁を接合することにより、軒樋同士を直線的に接続させるものである。
【００１７】
本実施例は、凹部２４を中心部に設けて夏季取付用にしたものである。軒樋が環境温度の変化によって縮む際、上記係合片１４がその圧力によって切り落とされ、これにより該摺動体２の摺動が自在になる。これは、切欠部１５が設けられているためである。また、本実施例にあっては、上記係合片１４を上記凹部２４内に係合させることにより該摺動体２の動きを規制し、これにより搬送時や施工時に該摺動体がみだりに動くことをなくしている。また、該摺動体を弾性力のある合成樹脂で形成しているため、切欠部１５から係合片１４を揺動自在にしており、これにより作業者の手でも係合片１４と継手本体１との係合のオン・オフが可能となっている。
【００１８】
本発明は、側壁と底板で溝型に形成され溝の流れ方向における一方に軒樋の長手方向端部の外形を内形とした接合部を有し他方に軒樋の長手方向に沿って平滑に形成された摺動面を有する継手本体と、側壁と底板で溝型に形成され一方に軒樋の長手方向端部の外形を内形とした摺動接合部を有し他方に前記摺動面の内形を外形とした摺動部を有する摺動体とを備え、前記接合部と前記摺動接合部に軒樋を接合しつつ継手本体と摺動体を接合して軒樋同士を直線的又は曲折的に接続させる軒樋継手において、上記摺動体の側壁から前記継手本体を押圧しつつ包むように形成された係合片を設けたことにより、工程数はほぼ従来のままで該摺動体の動きを規制しつつ、該係合片が外れないという効果を備え、さらには該係合片の基端部に切欠部を設け、該切欠部が１５ｋｇ〜５０ｋｇの引裂強度を備えたことにより係合片をつけたままでも施工できると共に作業者によって該係合のオン・オフが可能になるという効果がある。また、上記係合片の係合相手である上記継手本体の係合局部が他の部分より凹んでいる凹部を設けることにより該係合片の係合力をより強固にすることができる。
【図面の簡単な説明】
【図１】本発明の一実施例にかかる軒樋継手を模式的に示した斜視図である。
【図２】本実施例の特徴部分である係合片部分を拡大した説明図である。
【符号の説明】
１  継手本体
１０  側壁
１１  底板
１２  接合部
１３  摺動面
１４  係合片
１５  切欠部
２  摺動体
２０  側壁
２１  底板
２２  摺動接合部
２３  摺動面
２４  凹部
【図１】
0004010675.tif 000002
【図２】
0004010675.tif 000003